(57)【要約】【課題】キートップ１を押下可能に支持したハウジング５とベースプレート８の間に可動接点７ｅと固定接点７ｄを有するメンブレンシート７を挟み、キートップ１の押下により可動接点７ｅを固定接点７ｄに接触させてスイッチを閉成するキースイッチ構造において、完全に外気と遮断し、装置本体内への水の浸入を完全に防ぐようにする。【解決手段】メンブレンシート７の上に、ハウジング５の固定ピン５ｆに対応する複数の取り付け孔６ｇを設けたプレート６を備え、前記固定ピン５ｆを前記プレート５の取り付け孔６ｇにて固定するようにした。【選択図】図１
2011009110.tif 000002
【特許請求の範囲】
【請求項１】
キートップを押下可能に支持し固定ピンを有するハウジングとベースプレートの間に互いに対向する接点を有するメンブレンシートを挟み、キートップの押下により当該接点を接触させてスイッチを閉成するキースイッチ構造であって、
前記メンブレンシートの上に、前記固定ピンに対応する複数の取り付け孔を設けたプレートを備え、
前記固定ピンを前記プレートの取り付け孔にて固定するようにしたことを特徴とするキースイッチ構造。
【請求項２】
ハウジングをキー単位に形成するようにしたことを特徴とする請求項１記載のキースイッチ構造。
【発明の詳細な説明】
【技術分野】
【０００１】
本発明は、パーソナルコンピュータ等のキーボード装置の構造に関するものである。
【背景技術】
【０００２】
近年のノートパソコン等のモバイル装置（以下、「装置本体」という）においては、バッテリーの長寿命化に伴い長時間の携帯が可能となり全天候型の装置が必要とされるようになってきている。この要求を実現するために防滴性さらには防水性を得る技術が必要となる。例えば、雨天に屋外でキー操作をする場合でもキーボードから装置本体内への雨水の浸入を防ぐ技術が求められてきている。
【０００３】
図４はこれを考慮した従来のキースイッチの断面図で、図５は従来のキースイッチの分解斜視図である。
【０００４】
同図に示したように、従来のキースイッチ構造は、キートップ２１、第１リンク部材２２、第２リンク部材２３、弾性部材２４、ハウジング２５、メンブレンシート２６及びベースプレート２７により構成されている。
【０００５】
キートップ２１には、第１リンク部材２２の一端を回転可能に支持する回転支持部２１ａ、２１ｂと、第２リンク部材２３の一端を回転可能にかつ水平方向に平行移動（運動）可能に支持するスライド支持部２１ｃ、２１ｄが設けられている。
【０００６】
第１リンク部材２２は、一対の脚部２２ａ、２２ｂを有し当該脚部２２ａ、２２ｂの一端にはキートップ２１の回転支持部２１ａ、２１ｂに挿入支持される第１連結棒２２ｃが脚部２２ａ、２２ｂを連結するように設けられ、同様に脚部２２ａ、２２ｂの他端には、第２連結棒２２ｄが脚部２２ａ、２２ｂを連結するように設けられていて、さらに、脚部２２ａ、２２ｂの各々の外面には、第１連結棒２２ｃと第２連結棒２２ｄとをつなぐ線上にあって、かつそれぞれの連結棒２２ｃ、２２ｄに対して等距離となる位置に軸２２ｅ、２２ｆが設けられている。
【０００７】
第２リンク部材２３は一対の脚部２３ａ、２３ｂを有し、当該脚部２３ａ、２３ｂの一端にはキートップ２１のスライド支持部２１ｃ、２１ｄに回転可能にかつ水平方向に平行移動（運動）可能に支持される第１支持突起２３ｃ、２３ｄが外側に向けて設けられ、他端には第１リンク部材２２の両連結棒２２ｃ、２２ｄ間と等しい距離に第２支持突起２３ｅ、２３ｆが内側に向けて設けられている。
【０００８】
また、第１支持突起２３ｃ、２３ｄと第２支持突起２３ｅ、２３ｆをつなぐ線上にあってかつ各々の支持突起２３ｃ、２３ｄ；２３ｅ、２３ｆに対して等距離となる位置に軸穴２３ｇ、２３ｈが設けられている。さらに、脚部２３ａ、２３ｂは第１支持突起２３ｃ、２３ｄよりも先端側において連結部２３ｉにより連結されている。
【０００９】
弾性部材２４は、ゴム等を素材として略カップ状に形成され、内面中央部に接点押下部２４ａが突出形成されている。ハウジング２５はキー単位に分割して枠状に形成され、その一端付近に第１リンク部材２２の第２連結棒２２ｄを回転可能にかつ水平方向に平行移動（運動）可能に支持するためのスライドガイド２５ａが設けられていて、他端付近には第２リンク部材２３の第２支持突起２３ｅ、２３ｆを回転自在に支持する回転ガイド２５ｃ、２５ｄが設けられている。
【００１０】
また、ハウジング２５の両端中央には、弾性部材２４の外周部を固定する円弧形のガイド壁２５ｅが対向するように設けられ、さらにハウジング２５の下面にはメンブレンシート２６の貫通穴２６ｆを囲うように複数個所に所定の長さの固定ピン２５ｆが形成されている。
【００１１】
メンブレンシート２６は、２枚の可撓性シート２６ａ、２６ｂと、この２枚の可撓性シート２６ａ、２６ｂに挟まれたスペーサシート２６ｃから成り、このスペーサシート２６ｃには複数のキーに対応して複数の貫通穴２６ｆが設けられている。
【００１２】
この貫通穴２６ｆは２枚の可撓性シート２６ａ、２６ｂ間に空間を形成し、この空間内で互いに対向して位置するように、ベースプレート２７側の可撓性シート２６ｂには固定接点２６ｄが、弾性部材２４側の可撓性シート２６ａには可動接点２６ｅがそれぞれ設けられていて、さらに各貫通穴２６ｆの周囲に位置するようにメンブレンシート２６に複数の透孔２６ｇが複数設けられている。
【００１３】
ベースプレート２７は以上の各部品を搭載するように下部に配置されもので、このベースプレート２７にはメンブレンシート２６の透孔２６ｇに対応してメンブレンシート２６と同等の厚さのスペーサ突起２７ａが形成されており、各スペーサ突起２７ａの中央にハウジング２５の固定ピン２５ｆを通す取り付け孔２７ｂが貫通するように設けられていて、さらにベースプレート２７の下面側において各取り付け孔２７ｂの周囲に凹部（座ぐり）２７ｃが形成されている。
【００１４】
この構成において各部品は以下のように組み立てられる。すなわち、第１リンク部材２２の軸２２ｅ、２２ｆを第２リンク部材２３の軸穴２３ｇ、２３ｈを嵌合することにより、第１リンク部材２２と第２リンク部材２３を回転自在にＸ状に組合わせ、また、第１リンク部材２２の第１連結棒２２ｃをキートップ２１の回転支持部２１ａ、２１ｂに挿入すると共に、第２リンク部材２３の第１支持突起２３ｃ、２３ｄをキートップ２１のスライド支持部２１ｃ、２１ｄに回転可能にかつ水平方向に平行移動（運動）可能に挿入する。
【００１５】
一方、ベースプレート２７上にメンブレンシート２６を載せてベースプレート２７の各スペーサ突起２７ａをメンブレンシート２６の透孔２６ｇに通し、各スペーサ突起２７ａの取り付け孔２７ｂに上方からハウジング２５の固定ピン２５ｆを圧入する。そして、ベースプレート２７の下面側に突出した固定ピン２５ｆの先端を加熱により図４に示したように偏平状に変形させることで、ハウジング２５をメンブレンシート２６と共にベースプレート２７上に固定し、これにより固定ピン２５ｆの変形部２５ｇをベースプレート２７の凹部２７ｃ内に納めると共に、この凹部２７ｃに溶着させて取り付け孔２７ｂを閉塞する。
【００１６】
さらに、弾性部材２４の下部をガイド壁２５ｅの内側に嵌め込んでメンブレンシート２６上に固定し、その上からキートップ２１を被せて、第１リンク部材２２の第２連結棒２２ｄをハウジング２５のスライドガイド２５ａに挿入すると共に、第２リンク部材２３の第２支持突起２３ｅ、２３ｆをハウジング２５の回転ガイド２５ｃ、２５ｄに挿入する。
【００１７】
図６は上述した従来のキースイッチの作用を示す断面図である。なお、同図においては、図の簡略化のために、ベースプレート２７の取り付け穴２７ｂ、凹部２７ｃ、ハウジング２５の固定ピン２５ｆは省略している。
【００１８】
まず、キートップ２１が指等で押下されて下方に移動するのに伴い、第１リンク部材２２はキートップ２１の回転支持部２１ａ、２１ｂに回転自在に支持された第１連結棒２２ｃを回転の中心として時計方向に回転運動し、この第１リンク部材２２の他端側に設けられた第２連結棒２２ｄが、ハウジング２５のスライドガイド２５ａ、２５ｂに沿って水平方向に摺動運動する。
【００１９】
第２リンク部材２３は軸穴２３ｇ、２３ｈに第１リンク部材２２の軸２２ｅ、２２ｆが回転自在に嵌合しているため、第１リンク部材２２の動作に伴って第２リンク部材２３の第１支持突起２３ｃ、２３ｄがキートップ２１のスライド支持部２１ｃ、２１ｄに沿って水平方向に摺動運動し、ハウジング２５の回転ガイド２５ｃ、２５ｄに回転自在に支持された第２支持突起２３ｅ、２３ｆを回転の中心として第２リンク部材２３は反時計方向に回転運動する。
【００２０】
その結果、キートップ２１はハウジング２５に対して平行を保ちながら下方へ移動し、このキートップ２１の下方への移動に伴い、キートップ２１の裏面が弾性部材２４の上部を押圧するので、この弾性部材２４は圧縮変形するとともに弾性部材２４の内部に形成されて下方に突出している接点押下部２４ａがメンブレンシート２６の可撓性シート２６ａに当接してこれを押圧する。
【００２１】
これにより、図６（ａ）に示したように、可動接点２６ｅが固定接点２６ｄに接触して電気的に接続し、スイッチは閉成状態となる。さらに、キートップ２１を押下すると、第２リンク部材２３の連結部２３ｉが第１支持突起２３ｃ、２３ｄよりも端部側に設けられているため、第１リンク部材２２と第２リンク部材２３とは重なることなく、どちらもハウジング２５に対して水平となる位置まで回転する。
【００２２】
キートップ２１の押下を解除すると、各構成部品は弾性部材２４の復元力によって図６ (ｂ) に示したように元の状態に戻り、メンブレンシート２６の可動接点２６ｅが固定接点２６ｄから離れ、これにより電気的接触が絶たれるためスイッチは開放状態となる。
【００２３】
以上のように、従来のキースイッチでは、図４に示したように、固定ピン２５ｆの先端を加熱により偏平状に変形させることにより、ハウジング２５をメンブレンシート２６と共にベースプレート２７上に固定し、これにより固定ピン２５ｆの変形部２５ｇをベースプレート２７の凹部２７ｃ内に納め、変形部２５ｇを凹部２７ｃに溶着させて取り付け孔２７ｂを閉塞し、防滴性を得るようにしていた（例えば、特許文献１参照）。
【先行技術文献】
【特許文献】
【００２４】
【特許文献１】特開２００１−２２９７６４号公報
【発明の概要】
【発明が解決しようとする課題】
【００２５】
しかしながら、従来のキースイッチでは、以上述べたようにメンブレンシートやベースプレートにハウジングの固定ピンを取り付ける多数の孔が設けられており、これらの固定ピンの取り付け孔をすべて完全に塞ぐことは困難であった。
【００２６】
また、外気と遮断し防滴性或いはさらに防水性を得るためには、固定ピンとメンブレンシートの透孔の隙間も閉塞する必要があり、当該部分に粘着剤等を塗布するようにしてもキースイッチ部品群とのクリアランスの影響のために完全に閉塞することができず、一時的な防水はできても、完全な防水性を得ることはできなかった。
【課題を解決するための手段】
【００２７】
本発明は、前述の課題を解決するため次の構成を採用する。すなわち、キートップを押下可能に支持し固定ピンを有するハウジングとベースプレートの間に互いに対向する接点を有するメンブレンシートを挟み、キートップの押下により当該接点を接触させてスイッチを閉成するキースイッチ構造であって、前記メンブレンシートの上に、前記固定ピンに対応する複数の取り付け孔を設けたプレートを備え、前記固定ピンを前記プレートの取り付け孔にて固定するようにした。
【発明の効果】
【００２８】
本発明のキースイッチ構造によれば、キートップを押下可能に支持し固定ピンを有するハウジングとベースプレートの間に互いに対向する接点を有するメンブレンシートを挟み、キートップの押下により当該接点を接触させてスイッチを閉成するキースイッチ構造であって、前記メンブレンシートの上に、前記固定ピンに対応する複数の取り付け孔を設けたプレートを備え、前記固定ピンを前記プレートの取り付け孔にて固定するようにしたので、装置本体を外気から完全に閉塞でき、完全な防滴とすることができる。
【図面の簡単な説明】
【００２９】
【図１】実施例のキースイッチの断面図である。
【図２】実施例のキースイッチの分解斜視図である。
【図３】実施例のキースイッチの押下状態である。
【図４】従来のキースイッチの断面図である。
【図５】従来のキースイッチの分解斜視図である。
【図６】従来のキースイッチの動作を示す断面図である。
【発明を実施するための形態】
【００３０】
以下、本発明に係わる実施の形態例を、図面を用いて説明する。図面に共通する要素には同一の符号を付す。
【実施例】
【００３１】
（構成）
図１は実施例１のキースイッチの断面図、図２は実施例１のキースイッチの分解斜視図である。
【００３２】
キースイッチは、キートップ１、第１リンク部材２、第２リンク部材３、弾性部材４、ハウジング５、プレート上６ａおよびプレート下６ｂからなるプレート６、メンブレンシート７、ベースプレート８とから構成されている。
【００３３】
キートップ１には、回転支持部１ａ、１ｂとスライド支持部１ｃ、１ｄが設けられている。第１リンク部材２は一対の脚部２ａ、２ｂを有し、当該脚部２ａ、２ｂの一端には第１連結棒２ｃが設けられ、脚部２ａ、２ｂの他端には、第２連結棒２ｄが設けられている。さらに、脚部２ａ、２ｂの各々には、軸の根本より中間までの範囲での直径に対して、中間より先端までの範囲で直径が小さく形成された２種類の円柱で構成された回転軸２ｅ、２ｆが設けられている。
【００３４】
第２リンク部材は連結部３ｉにより連結された一対の脚部３ａ、３ｂを有し、当該脚部３ａ、３ｂの一端には第１支持突起３ｃ、３ｄが、多端には第２支持突起３ｅ、３ｆがそれぞれ設けられている。さらに、脚部３ａ、３ｂの各々には、穴の根本より中間までの範囲での直径に対して、中間より先端までの範囲で直径が小さく形成された２種類の穴で構成された軸穴３ｇ、３ｈがもうけられている。
【００３５】
第１リンク部材２と第２リンク部材３は、回転軸２ｅ、２ｆを、軸穴３ｇ、３ｈにかん合することにより回転自在に係合されている。
【００３６】
弾性部材４は、ゴム等を素材として逆カップ状に形成され、内面中央に接点押下部４ａが突出形成されており、この弾性部材４はその上部がキートップ１の裏面に接するように、メンブレンシート７上に配置されている。
【００３７】
ハウジング５には、スライドガイド５ａ、５ｂと、回転ガイド５ｃ、５ｄと、弾性部材４を固定するガイド壁５ｅが設けられ、さらにプレート６を貫通し、先端を熱かしめされる固定ピン５ｆが設けられている。
【００３８】
メンブレンシート７上部に以上の部品が搭載され、プレート６は、図１のａ部およびｂ部に示したように、ハウジング５の固定ピン５ｆの先端を熱かしめにより固定する凹部を形成するために、プレート上６ａとプレート下６ｂに取り付け孔６ｇが設けられている。図１に示したように、固定ピン５ｆの先端を熱かしめすることにより固定できるように、プレート上６ａ側はプレート下６ｂ側の取り付け孔と比較し小さい径となっている。また、プレート上６ａとプレート下６ｂには、弾性部材４の接点押下部４ａが通過できるように、貫通穴６ｆが設けられている。
【００３９】
メンブレンシート７は、可動接点７ｄを有する上部シート７ａと、固定接点７ｅを有する下部シート７ｂと、これらのシートに挟まれたスペーサシート７ｃからなり、このスペーサシート７ｃには複数の貫通穴７ｆが設けられている。
【００４０】
なお、スペーサシート７ｃには貫通穴７ｆが複数設けられているが、上部シート７ａおよび下部シート７ｂにより貫通穴７ｆを覆い外気を完全に閉塞することができるので、メンブレンシート７とプレート６との固定は両面テープなどの粘着材により接着するだけでよい。或いは、接着することなくキーボード装置の取り付け孔にてメンブレンシート７とプレート６を重ね合わせて取り付けるようにしてもよい。
【００４１】
ベースプレート８は、メンブレンシートの接点部分の強度を維持するために底部に配置するものである。ベースプレート８とメンブレンシート７の固定も、メンブレンシート７とプレート６の固定と同様に、両面テープなどによる固定或いはキーボード装置の固定孔にて取り付けるようにしてもよい。
【００４２】
以上の構成において各部品は以下のように組み立てられる。第１リンク部材２の軸２ｅ、ｆを第２リンク部材３の軸穴３ｇ、３ｈを嵌合することにより、第１リンク部材２と第２リンク部材３を回転自在にＸ状に組合わせ、また、第１リンク部材２の第１連結棒２ｃをキートップ１の回転支持部１ａ、１ｂに挿入すると共に、第２リンク部材３の第１支持突起３ｃ、３ｄをキートップ１のスライド支持部１ｃ、１ｄに回転可能にかつ水平方向に平行移動（運動）可能に挿入する。
【００４３】
そして、プレート６の取り付け孔６ｇに上方からハウジング５の固定ピン５ｆを挿入し、プレート６の下面側に突出した固定ピン５ｆの先端を加熱等により図１に示したように偏平状に変形させることで、ハウジング５をプレート６上に固定する。
【００４４】
そして、プレート６の下側からメンブレンシート７を両面テープなどの粘着材で固定し、メンブレンシート７の下からベースプレート８を同様に両面テープなどの粘着材で固定する。
【００４５】
（動作）
以上の構成による実施例１のキースイッチは以下のように作用する。以下、図１の通常の状態を示す断面図および図３の押下された状態を示す断面図を用いて実施例１のキースイッチの作用を説明する。
【００４６】
まず、キートップ１が指等で押下されて下方に移動するのに伴い、第１リンク部材２はキートップ１の回転支持部１ａ、１ｂに回転自在に支持された第１連結棒２ｃを回転の中心として時計方向に回転運動し、この第１リンク部材２の他端側に設けられた第２連結棒２ｄが、ハウジング５のスライドガイド５ａ、５ｂに沿って水平方向に摺動運動する。
【００４７】
第２リンク部材３は軸穴３ｇ、３ｈに第１リンク部材２の軸２ｅ、２ｆが回転自在に嵌合しているため、第１リンク部材２の動作に伴って第２リンク部材３の第１支持突起３ｃ、３ｄがキートップ１のスライド支持部１ｃ、１ｄに沿って水平方向に摺動運動し、ハウジング５の回転ガイド５ｃ、５ｄに回転自在に支持された第２支持突起３ｅ、３ｆを回転の中心として第２リンク部材３は反時計方向に回転運動する。
【００４８】
その結果、キートップ１はハウジング５に対して平行を保ちながら下方へ移動し、このキートップ１の下方への移動に伴い、キートップ１の裏面が弾性部材４の上部を押圧するので、この弾性部材４は圧縮変形するとともに弾性部材４の内部に形成されて下方に突出している接点押下部４ａがプレート上６ａおよびプレート下６ｂの貫通穴６ｆを通過しメンブレンシート７の上部シート７ａに当接してこれを押圧する。
【００４９】
これにより、可動接点７ｅが固定接点７ｄに接触して電気的に接続し、スイッチは閉成状態となる。さらに、キートップ１を押下すると、第２リンク部材３の連結部３ｉが第１支持突起３ｃ、３ｄよりも端部側に設けられているため、第１リンク部材２と第２リンク部材３とは重なることなく、どちらもハウジング５に対して水平となる位置まで回転する。
【００５０】
キートップ１の押下を解除すると、各構成部品は弾性部材４の復元力によって図１に示したように元の状態に戻り、メンブレンシート７の可動接点７ｅが固定接点７ｄから離れ、これにより電気的接触が絶たれるためスイッチは開放状態となる。このとき、各ハウジング５を複数の固定ピン５ｆにより複数カ所でプレート６に固定しているため、ハウジング５がプレート６から浮き上がることはない。
【００５１】
また、ハウジング５の固定ピン５ｆは、プレート６に先端を加熱により偏平状に変形させることで、ハウジング５をプレート６に固定し、その下から孔のないメンブレンシート７およびベースプレート８を接着するので、装置本体を薄型に構成できると共に、プレート６の取り付け孔６ｇを完全に閉塞できるため、完全な防滴性が得られる。
【００５２】
（実施例の効果）
以上詳細に述べたように実施例１のキースイッチによれば、キートップを押下可能に支持し固定ピンを有するハウジングとベースプレートの間に互いに対向する接点を有するメンブレンシートを挟み、キートップの押下により当該接点を接触させてスイッチを閉成するキースイッチ構造において、前記メンブレンシートの上に、前記固定ピンに対応する複数の取り付け孔を設けたプレートを備え、前記固定ピンを前記プレートの取り付け孔にて固定するようにしたので、装置本体を外気から完全に閉塞することができ、完全な防滴性を得ることができる。
【００５３】
《その他の変形例》
以上の実施例の説明では、以上の実施例の説明ではハウジング５の固定ピン５ｆを取り付けるための凹部を形成するために、図１の断面図に示したように、プレート６をプレート上６ａとプレート下６ｂの２枚に分けて異なる径の孔を設けるように説明したが、１枚のプレートに同様の形状の凹部を形成するようにしてもよいし、逆に３枚以上のプレートに分けて同様の形状の凹部を形成するようにしてもよい。
【００５４】
また、以上の実施例の説明では、プレート６に弾性部材４の接点押下部４ａが通過する貫通穴６ｆを設ける構成として説明したが、貫通穴６ｆを設けない構成とし接点押下部４ａによりプレート上６ａおよびプレート下６ｂを介してメンブレンシート７の可動接点７ｅを押圧して固定接点７ｄと当接させるようにしてもよい。
【産業上の利用可能性】
【００５５】
以上述べたように、本発明は、ノートパソコン等のモバイル装置に搭載されるキーボード装置に広く用いることができる。
【符号の説明】
【００５６】
１ キートップ
１ａ、１ｂ 回転支持部
１ｃ、１ｄ スライド支持部
２ 第１リンク部材
２ａ、２ｂ 脚部
２ｃ 第１連結棒
２ｄ 第２連結棒
２ｅ、２ｆ 軸
３ 第２リンク部材
３ａ、３ｂ 脚部
３ｃ、３ｄ 第１支持突起
３ｅ、３ｆ 第２支持突起
３ｇ、３ｈ  軸穴
３ｉ 連結部
４ 弾性部材
４ａ 接点押下部
５ ハウジング
５ａ  スライドガイド
５ｃ、５ｄ 回転ガイド
５ｅ ガイド壁
５ｆ 固定ピン
６  プレート
６ａ、６ｂ  プレート上、プレート下
６ｇ  取り付け孔
６ｆ  貫通穴
７ メンブレンシート
７ａ、７ｂ 上部シート、下部シート
７ｃ スペーサシート
７ｆ 貫通穴
７ｄ 固定接点
７ｅ 可動接点
８ ベースプレート
２１ キートップ
２１ａ、２１ｂ 回転支持部
２１ｃ、２ｄ スライド支持部
２２ 第１リンク部材
２２ａ、２２ｂ 脚部
２２ｃ 第１連結棒
２２ｄ 第２連結棒
２２ｅ、２２ｆ 軸穴
２３ 第２リンク部材
２３ａ、２３ｂ 脚部
２３ｃ、２３ｄ 第１支持突起
２３ｅ、２３ｆ 第２支持突起
２３ｇ 軸
２３ｉ  連結部
２４ 弾性部材
２４ａ 接点押下部
２５ ハウジング
２５ａ スライドガイド
２５ｂ、２５ｃ 回転ガイド
２５ｅ ガイド壁
２５ｆ 固定ピン
２６ メンブレンシート
２６ａ、２６ｂ 可撓性シート
２６ｃ スペーサ
２６ｄ 固定接点
２６ｅ 可動接点
２６ｆ  貫通穴
２６ｇ 透孔
２７ ベースプレート
２７ａ スペーサ突起
２７ｂ 取り付け孔
【図１】
2011009110.tif 000003
【図２】
2011009110.tif 000004
【図３】
2011009110.tif 000005
【図４】
2011009110.tif 000006
【図５】
2011009110.tif 000007
【図６】
2011009110.tif 000008